(57)【要約】  保持クリップ組立体が、位置合わせされた下穴を有する別個のパネルを連結する。この保持クリップ組立体は、拡大フランジと、略円筒形の脚部とを有する本体を備える。脚部は、ピン挿入穴を囲む複数の離間した脚セグメントによって形成される。脚セグメントは、離間したスリットによって隔てられ、中央通路を形成する。拡大頭部と細長いシャフト部とを有するピンが、中央通路内で摺動可能である。ピンは、脚セグメントの内面のカム突起に係合して、このセグメントを拡張させ、本体をパネルに固定する。ピンは、径方向外面を有する可撓性フィンガーを含み、可撓性フィンガーの径方向外面は、ピンシャフト部に向かって変形可能な本体の脚部よりも大きい間隔をおいて離間している。可撓性フィンガーは、本体のフランジを通過し、パネルの下穴を超えた後に拡張する。可撓性フィンガーは、直径方向に対向するスリット内で摺動し、下穴の縁部に接触して、クリップ組立体を下穴内で安定化させる。
2014535028.tif 000002
【特許請求の範囲】
【請求項１】
保持クリップ組立体において、
長手の軸線と、ピン挿入穴を有する拡大フランジとを有する本体と、
前記拡大フランジから垂下され前記ピン挿入穴を囲むとともに中央通路を形成する離間配置された複数の脚セグメントであって、前記脚セグメントの各々が径方向内方に向かうカム突起を遠位端に有して成る脚部と、
拡大頭部と、前記頭部から垂下され前記中央通路内で長手方向に摺動可能な細長いシャフト部とを有したピンであって、該ピンが前記本体に挿入されると、前記細長いシャフト部が前記カム突起と係合可能となっているピンとを具備し、
前記ピンは、該ピンの前記シャフト部の直径よりも大きい間隔をおいて離間した径方向外面を有する可撓性フィンガーを含み、
前記フィンガーは前記ピンの前記シャフト部に向かって変形可能となっている保持クリップ組立体。
【請求項２】
前記脚セグメントは、前記ピン挿入穴を囲む円形パターンで配置され、直径方向に対向する少なくとも２つのスリットによって隔てられ、前記ピンの前記可撓性フィンガーは、前記直径方向に対向するスリット内で摺動可能である請求項１に記載の保持クリップ組立体。
【請求項３】
前記可撓性フィンガーの前記径方向外面は、前記脚部の直径よりも大きい間隔をおいて離間している請求項２に記載の保持クリップ組立体。
【請求項４】
前記可撓性フィンガーは、前記径方向外面を形成する、直径方向に対向して軸方向に延びる平行部を有する請求項３に記載の保持クリップ組立体。
【請求項５】
前記可撓性フィンガーは、前記平行部を前記ピンにつなげる傾斜部を有する請求項４に記載の保持クリップ組立体。
【請求項６】
前記可撓性フィンガーは、前記平行部から前記頭部まで延びる上傾斜部と、前記平行部から前記ピンの前記遠位端まで延びる下傾斜部とを有する請求項５に記載の保持クリップ組立体。
【請求項７】
前記頭部は、前記脚セグメント間の前記スリットと位置合わせされる、直径方向に対向するノッチを有しており、該ノッチは、対向端面を有する、径方向内方に向くタブを有し、前記端面間の間隔は、前記脚セグメントによって形成される前記本体の前記略円筒形の垂下脚部の直径と略等しい請求項６に記載の保持クリップ組立体。
【請求項８】
前記タブの前記径方向内方に向く対向面は、前記ピンが前記本体に挿入されると、前記可撓性フィンガーと摺動接触し、前記可撓性フィンガーの前記径方向外面間の間隔は、前記ピンの前記シャフト部の直径の２倍までとする請求項７に記載の保持クリップ組立体。
【請求項９】
前記本体の脚セグメントは、前記タブを収容する前記ノッチと位置合わせされる前記スリット間で等しく離間した、直径方向に対向するスリットを更に有しており、
前記頭部は、前記更なるスリットと位置合わせされる、直径方向に対向するノッチを有し、
前記ピンは、前記更なるスリット内で摺動可能な軸方向リブを形成する請求項８に記載の保持クリップ組立体。
【請求項１０】
前記ピンの前記シャフト部は細長の矩形部を有し、該矩形部は前記頭部から延びて、前記更なるスリット内で摺動可能な前記軸方向リブを形成する請求項９に記載の保持クリップ組立体。
【請求項１１】
前記ピンの前記シャフト部が、
該シャフト部の前記遠位端に設けられ、前記ピンが前記中央通路に十分に挿入されたときに、前記カム突起と係合するように或る直径を有する円筒形面を形成するベース部と、
前記ベース部から前記頭部に向かって配置され、前記ベース部の前記直径と同じ直径を有する円筒形面を有して、前記ピンが前記中央通路に十分に挿入されたときに、前記カム突起と係合するように配置されるディスクとを含む請求項９に記載の保持クリップ組立体。
【請求項１２】
前記ピンの前記シャフト部は、前記第１のディスクから前記頭部に向かって離間した第２のディスクを含み、該第２のディスクは、前記第１のディスクの前記直径と同じ直径を有する円筒形外面を有するとともに、該第２のディスクに向かって前記脚セグメントが変形すると、前記脚セグメントに接触するように位置決めされる請求項１１に記載の保持クリップ組立体。
【請求項１３】
前記ピンの前記シャフト部は、
該シャフト部の前記遠位端に設けられ、前記ピンが前記中央通路に十分に挿入されたときに、前記カム突起と係合するように或る直径を有する円筒形面を形成するベース部と、
前記ベース部から前記頭部に向かって配置され、前記ベース部の前記直径と同じ直径を有する円筒形面を有して、前記ピンが前記中央通路に十分に挿入されたときに、前記カム突起と係合するように配置されるディスクとを含む請求項５に記載の保持クリップ組立体。
【請求項１４】
前記ピンの前記シャフト部は、前記第１のディスクから前記頭部に向かって離間した第２のディスクを含み、該第２のディスクは、前記第１のディスクの前記直径と同じ直径を有する円筒形外面を有するとともに、該第２のディスクに向かって前記脚セグメントが変形すると、前記脚セグメントに接触するように位置決めされる請求項１３に記載の保持クリップ組立体。
【請求項１５】
位置合わせされた下穴を有する別個のパネルを合わせて固定する方法において、
長手の軸線と、ピン挿入穴を有する拡大フランジとを有する本体と、
前記拡大フランジから垂下され前記ピン挿入穴を囲むとともに中央通路を形成する離間配置された複数の脚セグメントであって、前記脚セグメントの各々が径方向内方に向かうカム突起を遠位端に有して成る脚部と、
拡大頭部と、前記頭部から垂下され前記中央通路内で長手方向に摺動可能な細長いシャフト部とを有したピンであって、該ピンが前記本体に挿入されると、前記細長いシャフト部が前記カム突起と係合可能となっており、いるピンとを具備し、
前記ピンは、該ピンの前記シャフト部の直径よりも大きい間隔をおいて離間した径方向外面を有する可撓性フィンガーを含み、
前記フィンガーが前記ピンの前記シャフト部に向かって変形可能となっている保持クリップ組立体を準備する段階と、
前記本体の前記フランジが一方の前記パネルに接触するまで、パネルの位置合わせされた前記下穴に前記本体を挿入する段階と、
前記頭部が前記本体の前記フランジに接触し、かつ前記シャフト部が前記カム突起と係合して前記脚セグメントを径方向外方に変形させるまで、前記ピンの前記シャフト部を前記本体に挿入するとともに、前記ピンを前記本体に挿入する際、前記可撓性フィンガーを変形させる段階と含む方法。
【請求項１６】
前記複数の脚セグメントは前記ピン挿入穴を囲む円形パターンで配置され、直径方向に対向する少なくとも２つのスリットによって隔てられ、前記ピンの前記可撓性フィンガーは、前記直径方向に対向するスリット内で摺動可能となっており、
前記方法は、前記ピンを前記本体に挿入する際、前記ピン挿入穴を通して、前記ピンの前記可撓性フィンガーを摺動させる段階を更に含む請求項１５に記載の保持クリップ組立体。
【請求項１７】
前記可撓性フィンガーは、前記径方向外面を形成する直径方向に対向し軸方向に延びる平行部を有し、
前記可撓性フィンガーは傾斜部を有しており、該傾斜部は、前記平行部を前記ピンにつなげて前記直径方向に対向するスリット内で摺動可能であるとともに、前記平行部から前記頭部まで延びる上傾斜部と、前記平行部から前記ピンの前記遠位端まで延びる下傾斜部とを含み、
前記方法は、前記ピンを前記本体に挿入する際、前記可撓性フィンガーの前記傾斜部を前記直径方向に対向するスリット内で摺動させる段階を更に含む方法。
【請求項１８】
前記頭部は直径方向に対向するノッチを有しており、該ノッチは、前記可撓性フィンガーを摺動可能に収納する前記脚セグメント間の前記スリットと位置合わせされ、該ノッチは、対向端面を有する、径方向内方に向くタブを有し、
該方法の段階は、前記ピンを前記本体に挿入する際、前記可撓性フィンガーの前記平行部と前記タブの前記対向端面とを摺動接触させる段階であって、前記可撓性フィンガーを変形させる、摺動接触させる段階を更に含む請求項１７に記載の方法。
【請求項１９】
前記タブの前記径方向内方に向く対向面は、前記ピンを前記本体に挿入する際、前記可撓性フィンガーと摺動接触し、前記可撓性フィンガーの前記径方向外面間の間隔は、前記ピンの前記シャフト部の直径の２倍までであり、
前記本体の前記脚セグメントは、前記タブを収容する前記ノッチと位置合わせされる前記スリット間で等しく離間した、直径方向に対向するスリットを更に有しており、
前記頭部は、前記更なるスリットと位置合わせされる直径方向に対向するノッチを有し、前記ピンは、前記更なるスリット内で摺動可能な軸方向リブを有しており、
前記方法の段階は、前記ピンを前記本体に挿入する際、前記更なるスリット内で前記軸方向リブを摺動させる段階を更に含む請求項１８に記載の方法。
【請求項２０】
前記ピンの前記シャフト部は、
該シャフト部の前記遠位端に設けられたベース部であって、該ベース部は、前記ピンが前記中央通路に十分に挿入されると、前記カム突起と係合するように或る直径を有する円筒形面を形成するベース部と、
前記ベース部から前記頭部に向かって配置されるディスクであって、前記ベース部と同じ直径を有する円筒形面を有するディスクとを具備しており、
前記方法は、前記ピンを前記本体に挿入する際、前記カム突起を前記ベース部および前記ディスクと係合させて、前記脚セグメントを外方に変形させる段階を更に含む請求項１９に記載の方法。
【発明の詳細な説明】
【技術分野】
【０００１】
本開示は、２つのパネルを合わせて締結して、一方を他方に対して保持する保持クリップに関する。本開示は、特に、各パネルの下穴が異なる直径を有するかまたは締結具の脚部に対して過剰な間隙を呈する場合に、そのようなパネルを連結するのに好適であるクリップに関する。
【０００２】
［関連出願の相互参照］
本願は、２０１１年１１月１１日出願の米国仮特許出願第６１／５５８９１７号「パネルを締結するリベット機構」の優先権を米国特許法第１１９条（ｅ）項に基づき主張する。この仮特許出願の明細書および図面は、十分に記載されているかのように、本願と一体をなすものとして引用する。
【背景技術】
【０００３】
１９９７年３月２７日に発行された米国特許第5,632,581号「クリップ」は、２つのパネルを連結するのに有用なクリップを開示している。この米国特許は、イリノイ州グレンビュー所在のIllinois Tool Works社に譲渡されている。上記クリップは、種々のパネル部材の組付けに用いられ、特に、自動車産業におけるパネル部材の組付けに好適である。この特許の明細書および図面は、十分に記載されているかのように本願と一体をなすものとして引用する。
【０００４】
位置合わせされた下穴を有する２つのパネルまたはプレートを合わせて締結するために保持クリップが既知の方法で用いられる。本体は、中央穴を有する平坦なフランジ部と、離間した複数の脚セグメントによって形成される脚部とを含む。脚セグメントは、底壁から垂下され、中央穴を円筒パターンで囲む。脚セグメントの遠位端の内面には、内方に向かうカム部が含まれる。拡大頭部と、略円筒形の細長いシャフト部とを含む別個のピンが、本体のフランジの上方に、予め組み付けられた作動可能状態に位置決めされる。このとき、ピンシャフト部の遠位端は、中央穴内において、脚セグメントによって形成される通路の上方にある。
【０００５】
本体の脚部は、位置合わせされている下穴に挿通され、ピンは最終位置に圧入され、離間した脚セグメントの内面内に位置付けられる。ピンの挿入により、ピンの外面が、脚セグメントの遠位端の内面にあるカム部と係合し、脚セグメントを外方に付勢して、脚セグメントの遠位端の外縁部を拡張させる。カム部がピンの外面と当接することにより、上記拡張状態が維持され、本体およびピンがパネルの下穴から外れることが防止され、それによってパネルが合わせて締結される。
【０００６】
自動車用途の厳密性を満たして固定するには、パネルの下穴のサイズと、パネルの厚さとに対する細心の注意が必要であることが見出されている。結果として、クリップを収納する下穴のサイズと、その下穴に対する間隙とによって、クリップの汎用性が制限される可能性がある。これらのパラメーターは、自動車製造業者によって指定されることが多い。
【発明の概要】
【発明が解決しようとする課題】
【０００７】
広範な下穴の寸法およびパネルの厚さにわたってパネルを固定することが可能なクリップ設計が、当該市場にとって価値を有することが分かっている。広範な用途に好適な所与のクリップによって、製造コストおよび組付けコスト並びに原材料要件が低減する。
【課題を解決するための手段】
【０００８】
本開示のパネル締結リベット、すなわち保持クリップ組立体は、射出成形されたプラスチックのピンと本体部材とからなる組立体を含む。既知の設計におけるように、クリップ本体は、拡大フランジと、略円筒形の脚セグメントとを含む。脚セグメントは、連結されるパネルの下穴内に配置される。クリップ組立体のピンは、頭部と、略円筒形のシャフト部とを有する。略円筒形のシャフト部は、本体に圧入され、本体の脚セグメントを拡張させ締結を完了させる。
【０００９】
本開示の締結装置は、広範な穴のサイズおよびパネルの厚さに好適である。ピンは、弾性的な可撓性フィンガーを含む。可撓性フィンガーは、穴のサイズがより大きい場合、本体の脚セグメントが主パネルに接触する前に主パネルに係合する。可撓性フィンガーの弾性によって、パネルリベット組立体はパネルに接触、維持され、望ましくない振動および騒音が最小限に抑制される。
【００１０】
１つの形態において、ピンは、本体の脚セグメントを、脚セグメント間の隙間に押し込まれないように維持するように構成され、締結具の脱離に対する抵抗を高める。
【図面の簡単な説明】
【００１１】
【図１】長手の軸線に沿って位置合わせされる本体およびピンを備える本開示のパネルリベット組立体の斜視図である。
【図２】ピンが十分に挿入された位置にある、図１のパネルリベット組立体の部分斜視図である。
【図３】図１のパネルリベット組立体の本体の部分上面図である。
【図４】ピンの可撓性フィンガーを通る平面に沿った、取付け状態における図１のパネルリベット組立体の部分断面図である。この図は、本開示の或る特定の機能部を示している。
【図５】図４の視点に対して垂直の平面に沿った、取付け状態、すなわちパネル連結状態における図１の組立体の部分断面図である。この図は、本開示の本体脚セグメントとピンとの相互作用を示している。
【図６】連結されているパネルから部分的に引き抜かれた状態における図１の組立体の部分断面図である。この図は、本開示の本体脚セグメントとピンとの更なる協働を示している。
【図７】連結されているパネルから更に引き抜かれた状態の図１の組立体の部分断面図である。この図は、本開示の本体脚セグメントとピンとの更なる協働を示している。
【図８】パネルリベット組立体に用いるピンの変更形態の斜視図である。
【発明を実施するための形態】
【００１２】
ここで図面を参照すると、図１〜図７に、本開示によるパネルリベット組立体、すなわち保持クリップが示されている。図４に示すように、パネルリベット組立体１０は、一構造体の構成部材を連結するのに利用される。構造体は、ここでは２つの別個のパネル１１、１２として示されている。例にとると、パネル１１は、自動車のフードパネル等の金属薄板部材とすることができる。パネル１２は、例えば、複合消音パッド等の比較的可撓性のある構成部材とすることができる。
【００１３】
図３に示されているように、パネル１１は、１または複数の下穴１３を有する。パネル１２は、金属薄板パネル１１の下穴と位置合わせされる１または複数の下穴１４を有する。締結リベット１０は、各組の下穴において、別個のパネルを連結するのに用いられる。図４の図示されている取付けでは、下穴１３、１４の直径は、保持クリップ組立体１０の本体２０の挿入可能な脚部の直径よりも大きい。
【００１４】
図１は、２つの構成部材、すなわち本体２０およびピン６０を備えるクリップ組立体１０を示している。本体２０およびピン６０は、ポリマー材料から射出成形される。本体２０およびピン６０は、長手の軸線ＣＬに沿って細長く形成されている。本体２０およびピン６０は、予め組み付けられて、ピンが本体の上方に保持されている作動可能状態になっている。
【００１５】
本開示では、「長手方向の」、「軸方向の」または「軸方向に」という用語は、本体２０およびピン６０の長手の軸線ＣＬに沿うことを意味する。「径方向の」または「径方向に」は、上記長手の軸線に対して垂直であることを意味する。「内方」は、長手の軸線に向かうことを意味し、「外方」は長手の軸線から離れることを意味する。
【００１６】
使用の際、クリップ１０は、任意の向きにあることができる。例示および説明のために、「上」または「下」、「上側」または「下側」、「上方」または「下方」に対して本明細書においてなされる言及は、添付の図面に示されている構造体の理解を容易にするように意図される。
【００１７】
本体２０は、図３に示す中央ピン挿入穴２４を有する、ディスク状フランジ２２を有する。フランジ２２は下穴よりも大きく、本体が下穴を通り抜けることを阻止する。本体２０が上側パネルに取付けられると、ディスク状フランジ２２の下面は、上側パネルの表面に接触する。
【００１８】
円形パターンに配置された４つの脚セグメント２７によって、中央通路２５を有した略円筒形の垂下脚部が形成される。セグメント２７は、フランジ２２の下面から垂下され穴２４を囲む。中央通路２５および挿入穴２４は概ね同じ直径を有する。図３に示すように、脚セグメント２７は断面が弧状であり、４つの等しく離間したスリット２９によって隔てられている。各脚セグメント２７の内面には、脚セグメント２７の遠位端または自由端に径方向内方へのカム突起３０が形成されている。
【００１９】
図３を参照すると、拡大フランジ２２がノッチ２３を有している。ノッチ２３は、スリット２９と位置合わせされるとともに、フランジを通って延びる。直径方向に対向する２つのノッチ２３は、直径方向に対向する他方の２つのノッチよりも幅広であり、対向端面を有する径方向内方に向くタブ２６を有する。タブ２６の端面間の間隔は、脚セグメント２７によって形成される本体２０の略円筒形の垂下脚部の外径と略同じである。
【００２０】
ピン６０は、ディスク状拡大頭部６２と、通路２５内で摺動可能で一体に形成された細長いシャフト部６３とを有する。クリップ構成部材は、予め組み付けられて、作動可能状態にある。この状態では、ピンシャフト部６３の自由端、すなわち遠位端が、長手の軸線ＣＬに沿って位置合わせされてピン挿入穴２４に挿入されている。ピン６０が本体２０に十分に挿入されると、ピン６０の拡大頭部の下面が、本体２０の拡大フランジ２２の上面と接触する。
【００２１】
ピン６０の細長いシャフト部６３は、拡大頭部６２から垂下された細長の矩形部６４を有する。図１および図２に示すように、矩形部６４は、本体２０の脚セグメント２７間の直径方向に対向するスリット２９のうちの２つの中で摺動可能である対向縁部を有する。
【００２２】
図４に示すように、シャフト部６３は、その自由端が円筒形ベース部６６において終端する。円筒形ベース部６６は、脚セグメント２７によって形成される中央通路２５内で摺動可能である円筒形外面を有する。ベース部６６の円筒形外面は、シャフト部６３が通路２５に挿入されると、カム突起３０に接触するように位置決めされる。
【００２３】
ディスク６８が、ベース部６６の円筒形外面と同じサイズの円筒形外面を有し、同様に中央通路２５内で摺動可能である。ディスク６８は、ピン６０が本体２０に十分に挿入されると、セグメント２７のカム突起３０に接触するように、ベース部６６から頭部６２の方へ位置決めされる。ディスク６８の円筒形外面と同じサイズの円筒形外面を有する第２のディスク７０が、ディスク６８から頭部６２の方へ、脚部６４に形成される。ディスク７０は、中央通路２５内で摺動可能であり、以下で論じるように機能する。
【００２４】
特に、円筒形ベース部６６およびディスク６８の直径は、脚セグメント２７によって形成される中央通路２５よりも僅かに小さい。しかし、円筒形ベース部６６およびディスク６８の直径は、カム突起３０間の間隔よりも十分に大きく、そのため、ピン６０が通路２５に挿入されると、脚セグメント２７の自由端、すなわち遠位端が径方向外方に広がる。この動作により、脚セグメント２７が径方向外方に変形し、それによって、クリップ１０が、連結されているパネル１１、１２の下穴内に固定される。本体２０の拡張した脚部は、下穴から引き抜くことができない。
【００２５】
図８は、拡大頭部１６２および細長いシャフト部１６３を有するピン１６０の代替形態を示している。シャフト部１６３の外面は、ベース部１６６において略円筒形であり、エリア１６６は、図１〜図７の実施形態におけるディスク６６と同様に位置決めされている。また、シャフト部１６３は、前述の実施形態における表面７０と同じ位置に、略円筒形の表面１７０を形成する。円筒形の表面１６６、１６８、１７０は、図１〜図７の実施形態のピン６０の表面６６、６８、７０と同様のサイズであり、また同様に作用する。
【００２６】
本開示によれば、ピン６０は、一体成形された、直径方向に対向する２つの可撓性フィンガー８０を含む。各フィンガー８０は、頭部６２の下面に接合される端を有し、ベース部６６に長手方向リブ８５を含む。リブ８５は、直径方向に対向するスリット２９内で摺動可能であり、これらのスリット２９は、シャフト部６３の矩形部６４の対向縁部を摺動可能に支持するスリット２９に対して９０度に位置決めされる。また、図８の実施形態のピン１６３は、図１〜図７の実施形態の可撓性フィンガー８０と同一の可撓性拡張フィンガー１８０を含むことにも留意されたい。
【００２７】
図１〜図７を再び参照すると、拡張フィンガー８０は、軸方向に延びる、直径方向に対向する平行部８４を有する。平行部８４の径方向外面は、略円筒形の脚部の直径よりも大きくかつパネル１１、１２の下穴よりも大きい間隔をおいて離間している。これに関して、可撓性フィンガー８０の平行部８４の外面間の間隔は、タブ２６の対向端面間の間隔よりも大きい。この間隔は、脚セグメント２７によって形成される中央通路２５の直径、したがってピン６０のシャフト部６３の直径の寸法の２倍までとすることができる。
【００２８】
可撓性フィンガー８０の平行部８４は、上傾斜部８２によって頭部６２の下面に、また、リブ８５に合流する下傾斜部８３によってベース部６６につながる。
【００２９】
平行部８４は、ピン６０が頭部２０に挿入されると、タブ２６を収容するノッチ２３を通って摺動するように構成される。可撓性フィンガー８０の傾斜部８２は、平行部８４よりもいくらか幅狭であるとともに、平行部８４を変形させて、平行部８４がシャフト部６３に向かって径方向内方に移動してノッチ２３を通過することを可能にするのに必要な可撓性を提供する。また、ピン６０が本体２０に挿入されると、フィンガー８０の傾斜部８２が、タブ２３と位置合わせされるスリット２９に入り、スリット２９内で摺動する。可撓性フィンガー８０の傾斜部は、スリット内に入ると、すなわち、本体２０のディスク状フランジ２２のピン挿入穴２４を超えると、その本来の変形していない形状に戻り、径方向外方に拡張する。
【００３０】
図３は、本開示の、２つのパネル１１、１２を連結する保持クリップ組立体１０を示している。本開示のクリップ組立体１０は、可撓性フィンガー８０の存在によって、特に、拡張フィンガー８０の平行部８４を横切る寸法はパネル１１、１２の挿入穴の直径よりも大きいという理由から、図示されているパネルの有効な連結具をなすのに特に適している。パネル１１、１２を連結するに、フランジ２２の下面がパネル１２の上側面に当接するまで、本体２０の垂下脚部が収容穴１３、１４に挿入される。次に、ピン６０は、長手の軸線ＣＬに沿って軸方向に本体２０内に進む。それにより、シャフト部６３が脚セグメント２７の内方に摺動し、可撓性フィンガー８０が、直径方向に対向するノッチ２３内で、タブ２６の対向端部間を通過する。矩形部６４の対向縁部は、脚セグメント２７間の、直径方向に対向する他方のスリット２９内で摺動する。
【００３１】
可撓性フィンガー８０の平行部８４は、タブ２６の端部と摺動接触し、可撓性フィンガー８０の傾斜部８３を付勢して径方向内方に変形させ、ピン挿入穴２４とパネル１１の下穴１３およびパネル１２の下穴１４とを通過させる。可撓性フィンガー８０がパネル１２の下面を越えると、フィンガー８０の傾斜部８２の可撓性により、可撓性フィンガー８０がスリット２９内で径方向外方に拡張する。その結果、上側の傾斜部８２は、下パネル１１の下穴１３の縁部と接触する。そのような接触により、クリップ１０がパネル１１、１２に対して安定化され、横（左右）移動、または、不所望の騒音若しくは振動を引き起こす可能性のある他の移動を最小限にする、しっかりした結び付きを確実にする。
【００３２】
図５に示されているように、ピン６０が本体２０に十分に挿入されると、ベース部６６およびディスク６８の円筒形外面は、脚セグメント２７のカム突起３０に接触し、脚セグメント２７の自由端を径方向に拡張させる。本体２０の拡張した脚セグメント２７は、下穴１３、１４内で本体を固定する。なぜなら、脚セグメント２７は、その自由端すなわち遠位端において、下穴１３の直径よりも大きい直径をとるからである。
【００３３】
また、図６に示されているように、ディスク６８はまた、クリップ１０をパネル１１、１２から後退させる作用力に抗って、脚セグメント２７の拡張した自由端を支持する。フランジ２２の下面がパネル１２との接触から離れるように移動することにより、脚セグメント２７が更に変形する。これは、脚セグメント２７がフランジ２２の下面につながっており、カム突起３０がディスク６８の円筒形面に当接接触することによる。
【００３４】
同様に、図７に示すように、本体２０がパネル１１、１２から更に後退することにより、脚セグメント２７のより明確な撓みすなわち歪みが引き起こされる。これは、カム突起３０がディスク６８の円筒形面と接触することにより、脚セグメントの自由端が径方向に拡張した状態で保持されることによる。さらに、脚セグメントが内方に撓むことにより、脚セグメントの内面がディスク７０の円筒形外面に接触し、脚セグメントに対する接触支持が提供される。
【００３５】
前述した実施形態の変形形態および変更形態が、本発明の範囲内にある。本明細書において開示および規定される本発明は、本文および／または図面により記載されているまたは明らかである別個の特徴のうちの２つ以上の、全ての代替的な組合せに及ぶことが理解される。これらの様々な組合せの全ては、本発明の種々の代替的な態様を構成する。本明細書に記載されている実施形態は、本発明の実施に関して分かっている最良の形態を説明し、当業者が本発明を利用することを可能にする。特許請求の範囲は、従来技術によって実施可能な程度の代替的な実施形態を含めるように解釈される。
【符号の説明】
【００３６】
１０    パネルリベット組立体
１１    パネル
１２    パネル
１３    下穴
１４    下穴
２０    本体
２２    フランジ
２３    ノッチ
２４    ピン挿入穴
２５    中央通路
２６    タブ
２７    脚セグメント
２９    スリット
３０    カム突起
６０    ピン
６２    頭部
６３    シャフト部
６４    脚部
６６    ベース部
６８    ディスク
７０    第２のディスク
８０    フィンガー
８０    拡張フィンガー
８２    上傾斜部
８３    下傾斜部
８４    平行部
８５    リブ
１６０    ピン
１６２    拡大頭部
１６３    シャフト部
１６３    ピン
１６６    ベース部
１８０    フィンガー
【図１】
2014535028.tif 000003
【図２】
2014535028.tif 000004
【図３】
2014535028.tif 000005
【図４】
2014535028.tif 000006
【図５】
2014535028.tif 000007
【図６】
2014535028.tif 000008
【図７】
2014535028.tif 000009
【図８】
2014535028.tif 000010
【国際調査報告】
2014535028.tif 000011
2014535028.tif 000012